【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
無線アクセスネットワーク（ＲＡＮ）を共有する複数のコアネットワーク（ＣＮ）のうちの１つを管理するためのコンピュータ化された方法であって、
コンピューティングデバイスによって、前記複数のＣＮのうちの少なくとも１つの第１のＣＮに関連付けられたＲＡＮリソース割り当て制御タイプインジケータを受信するステップであって、前記ＲＡＮリソース割り当て制御タイプインジケータが、
ＲＡＮリソースの保証された最小割り当て、
ＲＡＮリソースの絶対割り当て、および
ＲＡＮリソースのパーセンテージベースの割り当て、
のうちの少なくとも１つを含んだＲＡＮリソース割り当て制御タイプを示す、ステップと、
前記コンピューティングデバイスによって、前記複数のＣＮのうちの前記少なくとも１つの第１のＣＮに関連付けられたＲＡＮリソース割り当て制御値を受信するステップと、
前記コンピューティングデバイスによって、前記複数のＣＮのうちの前記少なくとも１つの第１のＣＮに対するＲＡＮリソース割り当てパラメータを前記ＲＡＮリソース割り当て制御タイプに基づいて決定するステップであって、前記決定するステップが更に、
前記少なくとも１つの第１のＣＮが、前記ＲＡＮリソース割り当て制御タイプにおけるＲＡＮリソースの保証された最小割り当てに関連付けられているときには、前記少なくとも１つの第１のＣＮに関連付けられた前記ＲＡＮリソース割り当て制御値か、
前記少なくとも１つの第１のＣＮが、前記ＲＡＮリソース割り当て制御タイプにおけるＲＡＮリソースの絶対割り当てに関連付けられているときには、前記少なくとも１つの第１のＣＮに関連付けられた前記ＲＡＮリソース割り当て制御値か、または
あるＣＮが、前記ＲＡＮリソース割り当て制御タイプにおけるＲＡＮリソースのパーセンテージベースの割り当てに関連付けられているときには、前記少なくとも１つの第１のＣＮに関連付けられた前記ＲＡＮリソース割り当て制御値および前記複数のＣＮのうちの他のＣＮに関連付けられた少なくとも１つのＲＡＮリソース割り当て制御値か、
に基づく、ステップと、
前記少なくとも１つの第１のＣＮに前記リソース割り当て値に基づいた量のＲＡＮリソースが割り当てられるように、前記コンピューティングデバイスによって、前記ＲＡＮリソース割り当てパラメータおよび前記関連付けられた少なくとも１つの第１のＣＮの識別を、トラフィックコントローラのノードに送信するステップと、
を含む、方法。
【請求項２】
請求項１に記載のコンピュータ化された方法において、前記リソース割り当てパラメータが、
前記少なくとも１つの第１のＣＮに提供される最大量のＲＡＮリソースと、
前記少なくとも１つの第１のＣＮに提供される最小保証量のＲＡＮと、
のうちの少なくとも１つを含む、方法。
【請求項３】
請求項２に記載のコンピュータ化された方法であって、更に、
前記トラフィックコントローラの前記ノードによって、前記少なくとも１つの第１のＣＮに対する前記ＲＡＮリソース割り当てパラメータを受信するステップと、
前記トラフィックコントローラのノードによって、前記少なくとも１つのＣＮに対するＲＡＮリソース使用量の表示を受信するステップと、
前記トラフィックコントローラによって、前記少なくとも１つの第１のＣＮに割り当てられるＲＡＮリソースの量を決定するステップであって、前記決定するステップが、
前記少なくとも１つの第１のＣＮに対する前記ＲＡＮリソース割り当てパラメータが、前記少なくとも１つの第１のＣＮに提供されるＲＡＮリソースの最大量を含むときには、前記少なくとも１つの第１のＣＮに対する前記リソース割り当てパラメータ、および前記少なくとも１つの第１のＣＮに対するＲＡＮリソース使用量の表示と、
前記少なくとも１つの第１のＣＮに対する前記ＲＡＮリソース割り当てパラメータが、前記少なくとも１つの第１のＣＮに提供されるＲＡＮリソースの保証された最小量を含むときには、少なくとも１つの他のＣＮに対する前記リソース割り当てパラメータ、および
前記少なくとも１つの他のＣＮに対するＲＡＮリソース使用量の表示と、
前記少なくとも１つの第１のＣＮに対する前記ＲＡＮリソース割り当てパラメータが、前記少なくとも１つの第１のＣＮに提供されるＲＡＮリソースの保証された最小量を含むときには、前記少なくとも１つの第１のＣＮに対する前記リソース割り当てパラメータ、および前記少なくとも１つの第１のＣＮに対するＲＡＮリソース使用量の表示と、
のうちの少なくとも１つに基づく、ステップと、
前記少なくとも１つの第１のＣＮに割り当てられるＲＡＮリソースの前記量に基づいて、前記トラフィックコントローラによって、前記少なくとも１つの第１のＣＮに関連付けられた少なくとも１つのデバイスに対するトラフィックを制御するステップと、
を含む、方法。
【請求項４】
請求項３に記載のコンピュータ化された方法において、前記トラフィックを制御するステップが、
（ａ）ＲＡＮカバレッジエリアへのユーザ機器（ＵＥ）のアタッチメントまたはモビリティを制限することと、
（ｂ）利用可能なＲＡＮリソースを超えたときに、前記ＲＡＮカバレッジエリア内のＱｏＳ属性をデバイスベアラごとに修正することと、
（ｃ）表示されたＱｏＳレベルに基づいてユーザトラフィックを管理することであって、優先度の低いユーザデータのトラフィックの保留、一時中断、および拒否のうちの少なくとも１つを含むことと、
のうちの少なくとも１つを含む、方法。
【請求項５】
請求項３に記載のコンピュータ化された方法であって、更に、
ＲＡＮ輻輳を示す前記ＲＡＮからのローディング情報を処理するステップと、
前記ローディング情報に基づいて、前記少なくとも１つのＣＮに対するＲＡＮリソース使用量の前記表示または少なくとも１つの他のＣＮに対するＲＡＮリソース使用量の表示のうちの少なくとも１つを調整するステップと、
前記調整された表示を前記トラフィックコントローラに送信するステップと、を含む、方法。
【請求項６】
請求項３に記載のコンピュータ化された方法であって、更に、
ＲＡＮ輻輳認識機能からのローディング情報を処理するステップと、
前記ローディング情報に基づいて、前記少なくとも１つのＣＮに対するＲＡＮリソース使用量の前記表示または少なくとも１つの他のＣＮに対するＲＡＮリソース使用量の表示のうちの少なくとも１つを調整するステップと、
前記調整された表示を前記ＲＡＮに送信するステップと、を含む、方法。
【請求項７】
請求項１に記載のコンピュータ化された方法であって、更に、
前記コンピューティングデバイスによって、前記複数のＣＮのうちの第２のＣＮに関連付けられた第２のＲＡＮリソース割り当て制御タイプインジケータを受信するステップであって、前記第２のＲＡＮリソース割り当て制御タイプインジケータが、
ＲＡＮリソースの保証された最小割り当て、
ＲＡＮリソースの絶対割り当て、および
ＲＡＮリソースのパーセンテージベースの割り当て、
のうちの少なくとも１つを含んだ第２のＲＡＮリソース割り当て制御タイプを示す、ステップと、
前記コンピューティングデバイスによって、前記複数のＣＮのうちの前記第２のＣＮに関連付けられた第２のＲＡＮリソース割り当て制御値を受信するステップであって、
前記複数のＣＮのうちの前記少なくとも１つの第１のＣＮに関連付けられた前記ＲＡＮリソース割り当て制御タイプが前記第２のＲＡＮリソース割り当て制御タイプとは異なり、かつ、
前記複数のＣＮのうちの前記少なくとも１つの第１のＣＮに関連付けられた前記ＲＡＮリソース割り当て制御値が前記第２のＲＡＮリソース割り当て制御値とは異なる、
ステップと、
を含む、方法。
【請求項８】
請求項７に記載のコンピュータ化された方法において、
前記少なくとも１つの第１のＣＮは、モバイルデバイスにサービスを提供し、
前記第２のＣＮは、マシンタイプデバイスにサービスを提供する、方法。
【請求項９】
請求項１に記載のコンピュータ化された方法であって、更に、
１つ以上のユーザ機器（ＵＥ）に対する定期的な位置更新タイマー値を決定するステップと、
非ピーク時間の決定に基づいて、前記定期的な位置更新タイマー値を調整するステップと、
を含む、方法。
【請求項１０】
請求項９に記載のコンピュータ化された方法において、
前記定期的な位置更新タイマーが、前記１つ以上のＵＥから提供されたタイマー値と、ホーム加入者サーバ（ＨＳＳ）またはホームロケーションレジスタ（ＨＬＲ）から提供されたタイマー値と、ローカルＭＭＥ／ＳＧＳＮ設定とのうちの少なくとも１つに基づく、方法。
【請求項１１】
無線アクセスネットワーク（ＲＡＮ）を共有する複数のコアネットワーク（ＣＮ）のうちの１つを管理するための装置であって、
前記プロセッサに結合されたメモリであって、プロセッサによって実行されると、該プロセッサに、
前記複数のＣＮのうちの少なくとも１つの第１のＣＮに関連付けられたＲＡＮリソース割り当て制御タイプインジケータを受信させ、前記ＲＡＮリソース割り当て制御タイプインジケータが、
ＲＡＮリソースの保証された最小割り当て、
ＲＡＮリソースの絶対割り当て、および
ＲＡＮリソースのパーセンテージベースの割り当て、
のうちの少なくとも１つを含んだＲＡＮリソース割り当て制御タイプを示し、
前記複数のＣＮのうちの前記少なくとも１つの第１のＣＮに関連付けられたＲＡＮリソース割り当て制御値を受信させ、
前記複数のＣＮのうちの前記少なくとも１つの第１のＣＮに対するＲＡＮリソース割り当てパラメータを前記ＲＡＮリソース割り当て制御タイプに基づいて決定させ、前記決定が、更に、
前記少なくとも１つの第１のＣＮが、前記ＲＡＮリソース割り当て制御タイプにおけるＲＡＮリソースの保証された最小割り当てに関連付けられているときには、前記少なくとも１つの第１のＣＮに関連付けられた前記ＲＡＮリソース割り当て制御値か、
前記少なくとも１つの第１のＣＮが、前記ＲＡＮリソース割り当て制御タイプにおけるＲＡＮリソースの絶対割り当てに関連付けられているときには、前記少なくとも１つの第１のＣＮに関連付けられた前記ＲＡＮリソース割り当て制御値か、または
あるＣＮが、前記ＲＡＮリソース割り当て制御タイプにおけるＲＡＮリソースのパーセンテージベースの割り当てに関連付けられているときには、前記少なくとも１つの第１のＣＮに関連付けられた前記ＲＡＮリソース割り当て制御値および前記複数のＣＮのうちの他のＣＮに関連付けられた少なくとも１つのＲＡＮリソース割り当て制御値か、
に基づき、
前記少なくとも１つの第１のＣＮに前記リソース割り当て値に基づいた量のＲＡＮリソースが割り当てられるように、前記ＲＡＮリソース割り当てパラメータおよび前記関連付けられた少なくとも１つの第１のＣＮの識別を、トラフィックコントローラのノードに送信させる、
コンピュータ可読命令を含む、メモリを備える、装置。
【請求項１２】
請求項１１に記載の装置において、前記リソース割り当てパラメータが、
前記少なくとも１つの第１のＣＮに提供される最大量のＲＡＮリソースと、
前記少なくとも１つの第１のＣＮに提供される最小保証量のＲＡＮと、
のうちの少なくとも１つを含む、装置。
【請求項１３】
請求項１２に記載の装置において、前記トラフィックコントローラが、更に、
前記少なくとも１つの第１のＣＮに対する前記ＲＡＮリソース割り当てパラメータを受信し、
前記少なくとも１つのＣＮに対するＲＡＮリソース使用量の表示を受信し、
前記少なくとも１つの第１のＣＮに割り当てられるＲＡＮリソースの量を決定し、該決定が、
前記少なくとも１つの第１のＣＮに対する前記ＲＡＮリソース割り当てパラメータが、前記少なくとも１つの第１のＣＮに提供されるＲＡＮリソースの最大量を含むときには、前記少なくとも１つの第１のＣＮに対する前記リソース割り当てパラメータおよび前記少なくとも１つの第１のＣＮに対するＲＡＮリソース使用量の表示と、
前記少なくとも１つの第１のＣＮに対する前記ＲＡＮリソース割り当てパラメータが、前記少なくとも１つの第１のＣＮに提供されるＲＡＮリソースの保証された最小量を含むときには、少なくとも１つの他のＣＮに対する前記リソース割り当てパラメータおよび前記少なくとも１つの他のＣＮに対するＲＡＮリソース使用量の表示と、
前記少なくとも１つの第１のＣＮに対する前記ＲＡＮリソース割り当てパラメータが、前記少なくとも１つの第１のＣＮに提供されるＲＡＮリソースの保証された最小量を含むときには、前記少なくとも１つの第１のＣＮに対する前記リソース割り当てパラメータおよび前記少なくとも１つの第１のＣＮに対するＲＡＮリソース使用量の表示と、
のうちの少なくとも１つに基づき、
前記少なくとも１つの第１のＣＮに割り当てられるＲＡＮリソースの前記量に基づいて、前記少なくとも１つの第１のＣＮに関連付けられた少なくとも１つのデバイスに対するトラフィックを制御する、
ように構成される、装置。
【請求項１４】
請求項１３に記載の装置において、前記トラフィックコントローラが、更に、
（ａ）ＲＡＮカバレッジエリアへのユーザ機器（ＵＥ）のアタッチメントまたはモビリティを制限することと、
（ｂ）利用可能なＲＡＮリソースを超えたときに、前記ＲＡＮカバレッジエリア内のＱｏＳ属性をデバイスベアラごとに修正することと、
（ｃ）表示されたＱｏＳレベルに基づいてユーザトラフィックを管理することであって、該ユーザトラフィックの管理が、優先度の低いユーザデータのトラフィックの保留、一時中断、および拒否のうちの少なくとも１つを含む、ことと、
のうちの少なくとも１つによってトラフィックを制御するように構成される、装置。
【請求項１５】
請求項１３に記載の装置であって、更に、ローディング要素を備え、該ローディング要素が、
ＲＡＮ輻輳を示す前記ＲＡＮからのローディング情報を処理し、
前記ローディング情報に基づいて、前記少なくとも１つのＣＮに対するＲＡＮリソース使用量の前記表示または少なくとも１つの他のＣＮに対するＲＡＮリソース使用量の表示のうちの少なくとも１つを調整し、
前記調整された表示を前記トラフィックコントローラに送信する、
ように構成される、装置。
【請求項１６】
請求項１３に記載の装置であって、更に、ローディング要素を備え、該ローディング要素が、
ＲＡＮ輻輳認識機能からのローディング情報を処理し、
前記ローディング情報に基づいて、前記少なくとも１つのＣＮに対するＲＡＮリソース使用量の前記表示または少なくとも１つの他のＣＮに対するＲＡＮリソース使用量の表示のうちの少なくとも１つを調整し、
前記調整された表示を前記ＲＡＮに送信する、
ように構成される、装置。
【請求項１７】
請求項１１に記載の装置であって、更に、
前記複数のＣＮのうちの第２のＣＮに関連付けられた第２のＲＡＮリソース割り当て制御タイプインジケータを受信させ、前記第２のＲＡＮリソース割り当て制御タイプインジケータが、
ＲＡＮリソースの保証された最小割り当て、
ＲＡＮリソースの絶対割り当て、および
ＲＡＮリソースのパーセンテージベースの割り当て、
のうちの少なくとも１つを含んだ第２のＲＡＮリソース割り当て制御タイプを示し、
前記複数のＣＮのうちの前記第２のＣＮに関連付けられた第２のＲＡＮリソース割り当て制御値を受信させ、
前記複数のＣＮのうちの前記少なくとも１つの第１のＣＮに関連付けられた前記ＲＡＮリソース割り当て制御タイプが前記第２のＲＡＮリソース割り当て制御タイプとは異なり、かつ、
前記複数のＣＮのうちの前記少なくとも１つの第１のＣＮに関連付けられた前記ＲＡＮリソース割り当て制御値が前記第２のＲＡＮリソース割り当て制御値とは異なる、
装置。
【請求項１８】
請求項１７に記載の装置において、
前記少なくとも１つの第１のＣＮは、モバイルデバイスにサービスを提供し、
前記第２のＣＮは、マシンタイプデバイスにサービスを提供する、装置。
【請求項１９】
請求項１２に記載の装置であって、更に、タイミングコントローラを備え、該タイミングコントローラが、
１つ以上のユーザ機器（ＵＥ）に対する定期的な位置更新タイマー値を決定し、
非ピーク時間の決定に基づいて、前記定期的な位置更新タイマー値を調整する、
ように構成される、装置。
【請求項２０】
請求項１９に記載の装置において、前記定期的な位置更新タイマーは、前記１つ以上のＵＥから提供されたタイマー値と、ホーム加入者サーバ（ＨＳＳ）またはホームロケーションレジスタ（ＨＬＲ）から提供されたタイマー値と、ローカルＭＭＥ／ＳＧＳＮ設定とのうちの少なくとも１つに基づく、装置。